(57)【要約】【課題】  近年、強力な接着剤の出現により、垂れ壁材を、バー本体より吊り下げた、吊り下げボルトを用いて固定する必要がなく、さらに、該吊り下げボルトの末端に設けたガラス受けをも必要とせず、施工が簡単で、しかも、安全な仕切り垂れ壁、およびその設置方法を提供することを目的とする。【解決手段】    仕切り垂れ壁において、バー本体（１）の一部に、吊元フック（２）を設け、一方、仕切り垂れ壁（３）の上部に係止フック（４）を設け、前記吊元フック（２）に、垂れ壁材（３）を有する係止フック（４）を係止することにより、バー本体（１）に垂れ壁材（３）を固定することを特徴とする仕切り垂れ壁およびその設置方法。【選択図】        図１
2005068766.tif 000002
【特許請求の範囲】
【請求項１】
仕切り垂れ壁において、バー本体（１）の一部に、吊元フック（２）を設け、一方、仕切り垂れ壁（３）の上部に係止フック（４）を設け、前記吊元フック（２）に、垂れ壁材（３）を有する係止フック（４）を係止することにより、バー本体（１）に垂れ壁材（３）を固定することを特徴とする仕切り垂れ壁。
【請求項２】
仕切り垂れ壁において、バー本体（１）側に、吊元フック（２）を設け、垂れ壁材（３）の上端には、一または複数箇所に、吊り下げフック（４）を有する固定部材（５）を設け、垂れ壁材（３）を固定部材（５）で固定し、該吊り下げフック（４）を、前記吊元フック（２）に、係止・固定することにより、垂れ壁材（３）を、重量によりバー本体（１）に対して垂直に吊るすことを特徴とする仕切り垂れ壁の設置方法。
【発明の詳細な説明】
【技術分野】
【０００１】
この発明は、仕切り垂れ壁およびその設置方法に関するものである。
【背景技術】
【０００２】
従来、ビルや大型店舗等の火災の際に、天井面を発生する煙を妨げ、煙の移動を防止することにより、犠牲者を出さないために、建築基準法の改正により、述べ面積や階数が所定以上の建築物には防煙垂壁を不燃材料で設けることが義務づけられ、多数の仕切り垂れ壁（防煙垂壁ともいう）が設けられている。
【０００３】
そして、法規が制定された当初は、垂れ壁材の素材であるガラス板に孔をあけて、吊り金具でガラス板を天井から吊るしたものや、後に、ガラス板とガラス板との接合部に、吊り下げボルトとガラス受けを介してガラス板を支持する方法が一般的であった。（特許文献１および特許文献２を参照）
【特許文献１】実公昭５３−２８９６号公報
【特許文献２】実公昭５３−７５４３号公報
【０００４】
しかし、これら従来の仕切り垂れ壁の構造は、構成部品が多く、従って、施工作業も煩雑であった。この原因は、垂れ壁材の接合部に、バー本体より吊り下げボルトを吊り下げ、その末端にガラス受けを設け、該ガラス受けで、接合部のガラスの垂れ壁材を受けており、また、段差式のガラスの垂れ壁材の場合にも、その作業が煩雑となっていた。
【発明の開示】
【発明が解決しようとする課題】
【０００５】
しかしながら、近年、強力な接着力を有する接着剤の出現により、従来のような、垂れ壁材を、バー本体より吊り下げた、吊り下げボルトを用いて固定する必要がなく、さらに、該吊り下げボルトの末端に設けたガラス受けをも必要とせず、施工が簡単で、しかも、安全な仕切り垂れ壁、およびその設置方法を提供することを目的とする。
【課題を解決するための手段】
【０００６】
そして、この発明の一は、仕切り垂れ壁において、バー本体（１）側と、垂れ壁材（３）側とを、バー本体（１）側に設けた吊元フック（２）に、垂れ壁材（３）の上部に設けた吊り下げフック（４）で係止し、固定する仕切り垂れ壁である。
【０００７】
さらに、この発明の他は、仕切り垂れ壁において、バー本体（１）側に、吊元フック（２）を設け、垂れ壁材（３）の上端には、一または複数箇所に吊り下げフック（４）を有する固定部材（５）を設け、該吊り下げフック（４）を、前記吊元フック（２）に、係止・固定することを特徴とする仕切り垂れ壁の設置方法である。
【発明の効果】
【０００８】
この発明によると、作業が簡単であり、施工性もよく、スピード化でき、施工単価も格安となり、さらに、段差のある天井での納まりも、従来より煩わしくなく、施工期間も短縮が図れ、垂れ壁材（３）は固定部材（５）の接着剤と、バー本体（１）のバックアップ材（７）と、シーリング材（８）とで固定されるため、二段構えの安全性がある。
【発明を実施するための最良の形態】
【０００９】
次に、この発明の最良の形態を述べると、バー本体（１）側に吊り元フック（２）を、垂れ壁材（３）側に吊り下げフック（４）を設け、垂れ壁材（３）側を両フックで係止、固定することにより、部品点数を減らし、作業の簡易・迅速性を実現した。
【実施例】
【００１０】
この発明の一実施例を図面に従って説明すると、  仕切り垂れ壁において、バー本体（１）の一部に、吊元フック（２）を設け、一方、垂れ壁材（３）の上部に係止フック（４）を設け、前記吊元フック（２）に、垂れ壁材（３）を有する係止フック（４）を係止することにより、バー本体（１）に垂れ壁材（３）を固定することを特徴とする仕切り垂れ壁から構成される。
【００１１】
次に、この発明の他の実施例を図面に従って説明すると、仕切り垂れ壁において、バー本体（１）側に、吊元フック（２）を設け、垂れ壁材（３）の上端には、一または複数箇所に、吊り下げフック（４）を有する固定部材（５）を設け、垂れ壁材（３）を接着剤（６）で固定部材（５）に固定し、該吊り下げフック（４）を、前記吊元フック（２）に、係止・固定することにより、垂れ壁材（３）を、重量によりバー本体（１）に対して垂直に吊るすことを特徴とする仕切り垂れ壁の設置方法よりなるものである。
【００１２】
尚、図２においては、垂れ壁材（３）と垂れ壁材（３）との間に隙間を設けて描かれているが、これらは、実際には、コーキング材（図示せず）で両垂れ壁材（３）を接合しコーキングするか、あるいは、断面がＨ型の部材で両垂れ壁材（３）を接合するものである。
【００１３】
さらに、垂れ壁材（３）の素材は、ガラス板が一般的であるが、耐熱性の素材であれば他の材質でもよく、また、固定部材（５）は、上部に吊り下げフック（４）を設け、断面がコ字状であり、下部の溝部に、垂れ壁材（３）を差し込み、接着剤（６）にて固定するものである。
【００１４】
さらに、バー本体（１）と吊り下げられた垂れ壁材（３）との左右隙間部は、それぞれ、バックアップ材（７）と、シーリング材（８）とで固定するものである。
【００１５】
そして、この固定部材（５）の横幅は、垂れ壁材（３）の上端全長の長さであってもよく、または、適宜な長さに設け、垂れ壁材（３）の上端部の適宜な箇所に、それぞれ、設けてもよいものである。
【００１６】
また、階段等の段差のある天井での施工においては、図３（Ａ）に示すように、従来例のように、吊り下げボルトやガラス受けを設ける必要がないため、垂れ壁材（３）の下端部は、角部をアールにカットするだけですっきりと処理できる。しかし、従来例は、図３（Ｂ）に示すように、ガラス受けで受ける必要があるため、垂れ壁材（３）の下端は、吊り下げボルトやガラス受けで受ける部分が必要のため、垂れ壁材（３）を無駄にカットする必要があり、この発明によると、その必要がなく、垂れ壁材（３）が無駄になるばかりでなく、その施工が簡単、かつ、迅速に行える。
【産業上の利用可能性】
【００１７】
この発明は、仕切り垂れ壁およびその設置方法を提供するものであって、実用的な仕切り垂れ壁を製造、販売技術を確立し、かつ寄与する点で産業上の利用可能性を有する。
【図面の簡単な説明】
【００１８】
【図１】仕切り垂れ壁の一実施例を示す断面図である。
【図２】仕切り垂れ壁の施工方法を示す一部欠截斜視図である。
【図３】多段式の仕切り垂れ壁の施工状態を示し、（Ａ）は、本発明の実施例を示し、（Ｂ）は、従来例の実施例を示すそれぞれ一部欠截正面図である。
【符号の説明】
【００１９】
１  バー本体
２  吊元フック
３  垂れ壁材
４  係止フック
５  固定部材
６  接着剤
７  バックアップ材
８  シーリング材
【図１】
2005068766.tif 000003
【図２】
2005068766.tif 000004
【図３】
2005068766.tif 000005